(57)【要約】【課題】カードを容易に固定することができ、しかも、一旦固定した場合には、不用意にはずれることのないカード台紙を提供すること。【解決手段】略四角形状のカードを固定するカード台紙であって、前記カードの４個の角部のうち、１辺を共有する２個の角部Ａ，Ｂを挿入する挿入部と、これら角部が共有する辺に対向する辺ＣＤを嵌め込む嵌合部とを設ける。カードを固定する際には、２個の角部Ａ，Ｂを切り込み１１，１３から挿入部に挿入し、次に、カードを押圧して、嵌合片１６を撓ませ、辺ＣＤを嵌合部に嵌め込む。このように、カードの固定に際して、カードを撓ませる必要がなく、しかも、カードの２個の角部を挿入部に挿入することによって確実に位置決めできるので、容易かつ確実にカードを固定することが可能である。【選択図】図１
2019107853.tif 000002
【特許請求の範囲】
【請求項１】
略四角形状のカードを固定するカード台紙であって、前記カードの４個の角部のうち、１辺を共有する２個の角部を挿入する挿入部と、これら角部が共有する辺に対向する辺を嵌め込む嵌合部とを有するカード台紙。
【請求項２】
前記挿入部が切り込み又は貫通孔によって形成されていることを特徴とする請求項１に記載のカード台紙。
【請求項３】
挿入部を形成する前記切り込み又は貫通孔の外形線が、カードの長辺に対応する直線部分と、カードの短辺に対応する直線部分と、これら両直線部分の中央に位置し、これら直線部分の端点同士を結び、挿入するカードの内側方向に凸となる曲線状の部分とを有することを特徴とする請求項２に記載のカード台紙。
【請求項４】
前記嵌合部が切り込みによって形成されていることを特徴とする請求項１〜３のいずれかに記載のカード台紙。
【請求項５】
嵌合部を形成する前記切り込みが、二本の直線状の部分と、その中央に位置し、これら直線状部分の端点同士を結び、挿入するカードの内側方向に凸となる曲線状の部分とを有することを特徴とする請求項４に記載のカード台紙。
【請求項６】
前記嵌合部を形成する切り込みの前記直線状の部分の外側の端点から挿入部に向けて斜め方向に折れ曲がった部分を有することを特徴とする請求項５に記載のカード台紙。
【発明の詳細な説明】
【技術分野】
【０００１】
本発明は、略四角形状のカードを固定するカード台紙に関する。
【背景技術】
【０００２】
略四角形状のカードを固定するカード台紙は、一般に、カードの角部や辺を差し込んで固定する構造を有している。例えば、特許文献１は、台紙の切り込みにカードの四隅を差し込んで固定するものである。また、特許文献２は、台紙の切り込みにカードの三辺を差し込んで固定するものである。
【０００３】
カードの四隅を差し込んで固定する台紙では、一旦差し込んで固定したカードを確実に固定して不用意にはずれることがないが、その反面、差し込むためにはカードを撓ませる必要があり、容易に位置決めして差し込むことができない。一方、カードの三辺を差し込んで固定する台紙では、容易に差し込むことができるものの、不用意にはずれ易いという問題を有している。
【先行技術文献】
【特許文献】
【０００４】
【特許文献１】実開平０６−５９０７７号公報
【特許文献２】実用新案登録第３０３９６０３号公報
【発明の概要】
【発明が解決しようとする課題】
【０００５】
そこで、本発明は、カードを容易に固定することができ、しかも、一旦固定した場合には、不用意にはずれることのないカード台紙を提供することを目的とする。
【課題を解決するための手段】
【０００６】
すなわち、請求項１に記載の発明は、略四角形状のカードを固定するカード台紙であって、前記カードの４個の角部のうち、１辺を共有する２個の角部を挿入する挿入部と、これら角部が共有する辺に対向する辺を嵌め込む嵌合部とを有するカード台紙である。
【０００７】
次に、請求項２に記載の発明は、前記挿入部が切り込み又は貫通孔によって形成されていることを特徴とする請求項１に記載のカード台紙である。
【０００８】
また、請求項３に記載の発明は、挿入部を形成する前記切り込み又は貫通孔の外形線が、カードの長辺に対応する直線部分と、カードの短辺に対応する直線部分と、これら両直線部分の中央に位置し、これら直線部分の端点同士を結び、挿入するカードの内側方向に凸となる曲線状の部分とを有することを特徴とする請求項２に記載のカード台紙である。
【０００９】
また、請求項４に記載の発明は、前記嵌合部が切り込みによって形成されていることを特徴とする請求項１〜３のいずれかに記載のカード台紙である。
【００１０】
また、請求項５に記載の発明は、嵌合部を形成する前記切り込みが、二本の直線状の部分と、その中央に位置し、これら直線状部分の端点同士を結び、挿入するカードの内側方向に凸となる曲線状の部分とを有することを特徴とする請求項４に記載のカード台紙である。
【００１１】
また、請求項６に記載の発明は、前記嵌合部を形成する切り込みの前記直線状の部分の
外側の端点から挿入部に向けて斜め方向に折れ曲がった部分を有することを特徴とする請求項５に記載のカード台紙である。
【発明の効果】
【００１２】
本発明のカード台紙にカードを固定する際には、まず、カードの四隅のうち、２個の角部を挿入部に挿入し、次に、カードを押圧して、その反対側の辺を嵌合部に嵌め込めばよい。このように、カードの固定に際して、カードを撓ませる必要がなく、しかも、カードの２個の角部を挿入部に挿入することによって確実に位置決めできるので、容易かつ確実にカードを固定することが可能である。
【００１３】
そして、このように固定されたカードは、２個の角部とこれに対向する辺とが、それぞれ、挿入部と嵌合部とで固定されているため、不用意にはずれることもない。
【図面の簡単な説明】
【００１４】
【図１】図１は本発明の具体例に係り、図１（ａ）はカードの平面図、図１（ｂ）はカード台紙の平面図である。
【図２】図２は本発明のカード台紙にカードを固定する工程を示す斜視説明図である。
【図３】図３は本発明のカード台紙にカードを固定した状態を示し、図３（ａ）はその平面図、図３（ｂ）は断面図である。
【図４】図４は本発明のカード台紙の別の具体例を示す平面図である。
【図５】図５（ａ）及び（ｂ）は、それぞれ、本発明のカード台紙の別の具体例を示す平面図である。
【図６】図６は本発明のカード台紙の別の具体例を示す平面図である。
【図７】図７（ａ）及び（ｂ）は、それぞれ、本発明のカード台紙のさらに別の具体例を示す平面図である。
【発明を実施するための形態】
【００１５】
以下、図面を参照して、本発明の具体例を説明する。図１は本発明の具体例に係り、図１（ａ）はカードの平面図、図１（ｂ）はカード台紙の平面図である。
【００１６】
本発明のカード台紙は略四角形状のカードを固定するものである。四角形の四隅を円弧状に面取りした角丸四角形状のカードを含む。
【００１７】
このようなカードとしては、磁気カードやＩＣカード等のプラスチックカードを例示することもできる。また、名刺であってもよい。これらプラスチックカードや名刺の形状と大きさについては規格や標準があるから、本発明のカード台紙の各種寸法は、これら規格や標準に対応させることが望ましい。なお、ＩＤカードや磁気ストライプカード等のプラスチックカードの形状は、ＪＩＳ  Ｘ  ６３０１：２００５に規定されており、一般に、長辺が８５．６０ｍｍ、短辺が５３．９８ｍｍの角丸四角形状である。
【００１８】
図１（ａ）はプラスチックカードの例である。そして、この図では、カードの４個の角部に、それぞれ、Ａ，Ｂ，Ｃ，Ｄの符号を付して示している。これら４個の角部のうち、角部Ａと角部Ｂとは長辺ＡＢを共有している。言い換えると、角部Ａと角部Ｂとは長辺ＡＢの両端に位置している。他方、角部Ａと角部Ｄとは対角線状に位置しており、共有する辺を持っていない。なお、角部Ａと角部Ｃとは短辺ＡＣを共有しており、角部Ｂと角部Ｄも短辺ＢＤを共有している。また、角部Ｃと角部Ｄとは長辺ＣＤを共有している。
【００１９】
そして、カード台紙には、カードの長辺ＡＢを共有する２個の角部Ａ，Ｂにそれぞれ対応して、２個の挿入部が設けられている。また、カード台紙には、前記長辺ＡＢに対向する長辺ＣＤに対応して、嵌合部１６が設けられている。
【００２０】
一方の挿入部は、線状の切込み１１によって形成されたもので、この切込み１１とこれに隣接する抑え片１２とで構成されている。なお、線状の切込み１１は３つの部分によって構成されている。まず、カードの長辺ＡＢに対応する直線部分１１ａである。次に、カードの短辺ＡＣに対応する直線部分１１ｂである。そして、その中央に位置し、これら直線部分１１ａの端点と１１ｂの端点とを結び、挿入するカードの内側方向に凸となる曲線状の部分１１ｃである。抑え片１２は、この曲線状部分１１によって形成されている。このため、両直線部分１１ａ，１１ｂを省略しても構わない。
【００２１】
同様に、他方の挿入部も線状の切込み１３によって形成されており、この切込み１３とこれに隣接する抑え片１４とで構成されている。切込み１３は、カードを固定したとき、このカードの中心線を対称軸として、切り込み１１と線対称となるように構成されている。すなわち、切込み１３も、カードの長辺ＡＢに対応する直線部分１３ａ、カードの短辺ＢＤに対応する直線部分１３ｂ及び直線部分１３ａの端点と１３ｂの端点とを結び、カードの内側方向に凸となる曲線状の部分１３ｃから成る３つの部分によって構成されている。この切込み１３においても、切込み１１と同様に、両直線部分１３ａ，１３ｂを省略しても構わない。
【００２２】
なお、カードの長辺ＡＢに対応する直線部分１１ａと１３ａとは、当然のことながら、一直線上にある。また、カードの短辺ＡＣに対応する直線部分１１ｂとカードの短辺ＢＤに対応する直線部分１３ｂとの間の距離はカードの長辺ＡＢの長さにほぼ等しい。このため、カードの２個の角部を両挿入部に挿入したとき、カードの長辺ＡＢは直線部分１１ａ，１３ａに当接し、両短辺ＡＣ及びＢＤは、それぞれ、直線部分１１ｂと直線部分１３ｂとに一致して、カードは確実に位置決めされる。なお、直線部分１１ｂと直線部分１３ｂとの間の距離は、カードの長辺ＡＢの長さに比較して多少長くても構わない。例えば、１〜２ｍｍ長くてもよい。
【００２３】
次に、このカード台紙がプラスチックカード用である場合には、直線部分１１ａと曲線状の部分１１ｃとの交点から、直線部分１３ａと曲線状の部分１３ｃとの交点までの長さは５３ｍｍ前後が適切である。また、直線部分１１ａ，１１ｂ，１３ａ，１３ｂは、いずれも、２〜１２ｍｍの長さを有することが望ましい。この程度の長さの場合、カードを挿入する際に、この切り込み１１，１３を開くことにより、カードとの間に隙間を形成して、その挿入が容易となる。
【００２４】
次に、嵌合部は、カードの長辺ＣＤに対応して配置されたものである。この嵌合部もこれに隣接する線状の切り込み１５によって形成されており、この切込み１５とこれに隣接する嵌合片１６とで構成されている。この線状の切り込み１５は３つの部分によって構成されている。すなわち、その両端に位置する直線状の部分１５ａ，１５ｂと、その中央に位置し、これら直線状部分１５ａの端点と１５ｂの端点とを結び、挿入するカードの内側方向に凸となる曲線状の部分１５ｃである。嵌合片１６はこの曲線状の部分１５ｃに隣接して、カード中央方向に突出したタブ状に構成されている。
【００２５】
直線状部分１５ａ，１５ｂは一直線上に配置されたものであり、カードの２個の角部を両挿入部１２，１４に挿入してカードの長辺ＡＢは直線部分１１ａ，１３ａに当接したとき、カードの反対側の長辺ＣＤはこれら直線状部分１５ａ，１５ｂにほぼ一致する。なお、挿入部を構成する切込み１１，１３の直線部分１１ａ，１３ａと嵌合部を構成する切込み１５の曲線状部分１５ｃの頂点との間の距離は、カードの短辺ＡＣの長さよりわずかに短く、例えば、５０〜５３ｍｍが望ましい。また、前記直線部分１１ａ，１３ａと嵌合部を構成する切込み１５の直線状部分１５ａ，１５ｂとの間の距離は、カードの短辺ＡＣの長さより１ｍｍ程度長いことが望ましい。
【００２６】
そして、このようにカードを挿入したとき、カードの長辺ＣＤが嵌合部を構成する切込み１５の直線状部分１５ａ，１５ｂにほぼ一致するため、曲線状部分１５ｃによって形成された嵌合片１６はカードに重なる結果となる。このため、このようにカードの長辺ＡＢは直線部分１１ａ，１３ａに当接するまで、カードの２個の角部を両挿入部１２，１４に挿入した状態で、カードを上方から押圧すると、嵌合片１６が撓んで、カードの長辺ＣＤに嵌め込むことができるのである。なお、曲線状の部分１５ｃは、このようにカードをカード台紙に嵌め込んだとき、嵌合片１５がカードに１ｍｍ程度重なる程度の大きさであることが望ましい。この程度の大きさのとき、嵌合片１５が容易に撓んでカードを嵌合することが可能となる。
【００２７】
このカード台紙は、厚紙を使用して製造することができる。また、厚紙の代わりに、ポリエステル、ポリプロピレン等のプラスチックのシートを使用して製造することも可能である。その厚みは０．２〜２ｍｍの範囲でよい。これより厚いとカードを挿入しにくく、また、これより薄いとその形状の保持が困難である。望ましくは０．３〜０．５ｍｍである。なお、切り込み１１，１３，１５は刃物やレーザー光照射によって形成すればよい。
【００２８】
次に、図２を参照して、カードを固定する方法を説明する。すなわち、まず、カードの長辺ＡＢが直線部分１１ａ，１３ａに当接するまで、カードの２個の角部を切り込み１１，１３から両挿入部に挿入して、位置決めする（ステップ１）。このとき、抑え片１２，１４がカードのＡＢ辺に重なって、このＡＢ辺を固定する。次に、この状態で上方から押圧することにより、カードの長辺ＣＤを嵌合部に嵌め込む（ステップ２）。こうしてカードを固定した状態を図３に示す。この図から分かるように、カードはその表裏から台紙に挟まれて固定される。しかも、その位置は確実に位置決めされているので、揺動することがない。
【００２９】
なお、この工程とは逆順の工程でカードを台紙からはずすことができる。すなわち、まず、カードを裏面側から押圧して嵌合部の嵌合を解き、次に、両挿入部から取り出せばよい。
【００３０】
以上、具体例に基づいて本発明を説明したが、本発明はこれに限られず、様々な変形が可能である。図４〜図７はこの変形例を示すものである。
【００３１】
まず、図４は、切込み１１，１３の代わりに、これとは形状の異なる切り込み１１’，１３’を設けたものである。この切り込み１１’，１３’も、図１に示す例と同様に、カードの長辺ＡＢに対応する直線部分１３’ａ、カードの短辺ＡＣに対応する直線部分１３ｂ’、これら直線部分１３’ａの端点と１３ｂ’の端点とを結び、挿入するカードの内側方向に凸となる曲線状の部分１３’ｃを有しており、この曲線状部分１３’ｃによって抑え片１４が形成されている。そして、直線部分１３ｂ’の中間から、カード台紙の内側方向に向けて延びる直線部分１３ｄ’を有している。また、切り込み１１’は、カードを固定したとき、このカードの中心線を対称軸として、切り込み１３’と線対称となるように構成されている。この切り込み１１’，１３’が、図１に示す例の切込み１１，１３と同じ機能を有することは明らかと考えられる。また、これら切り込み１１’，１３’は直線部分１３ｄ’を有しているため、カードを挿入する際には、図１に示すカード台紙に比較して、切り込み１１’，１３’が大きく開き、このため、一層容易に挿入することができる。
【００３２】
次に、図５は、切込み１１，１３に代えて、貫通孔１７，１８を設けたものである。図５（ａ）に示す例では、貫通孔１８の外形線は、図１に示す例と同様に、カードの長辺ＡＢに対応する直線部分１８ａ、カードの短辺ＡＣに対応する直線部分１８ｂ、これら直線
部分１８ａの端点と１８ｂの端点とを結び、挿入するカードの内側方向に凸となる曲線状の部分１８ｃを有しており、この曲線状部分１８ｃによって抑え片１４が形成されている。そして、その内側に、前記直線部分１８ａの端点と１８ｂの端点とを結ぶ曲線状の部分１８ｄを有している。曲線状部分１８ｃと曲線状部分１８ｄとの間の長さ、すなわち、貫通孔１８の幅は、カードの種類によって異なるが、ＪＩＳ  Ｘ  ６３０１：２００５に規定されたＩＤカードや磁気ストライプカード等の場合には、６〜９ｍｍ程度が望ましい。
【００３３】
また、貫通孔１７は、カードを固定したとき、このカードの中心線を対称軸として、貫通孔１８と線対称となるように構成されている。これら貫通孔１７，１８が、図１に示す例の切込み１１，１３と同じ機能を有することは明らかと考えられる。
【００３４】
また、図５（ｂ）に示す例は、前述の曲線状の部分１８ｄの代わりに、二本の直線状部分から成る屈曲状の部分１８ｅを設けたもので、その他の点は図５（ａ）のカード台紙と同様である。この例においても、貫通孔１７，１８が、図１に示す例の切込み１１，１３と同じ機能を有することは明らかである。
【００３５】
次に、図６は、切込み１５の代わりに、これとは形状の異なる切り込み１５’を設けたものである。この例においても、切り込み１５’は、図１に示す例の切込み１５と同様に、直線状の部分１５’ａ，１５’ｂと、その中央に位置し、挿入するカードの内側方向に凸となる曲線状の部分１５’ｃを有しており、この曲線状の部分１５’ｃによって嵌合片１６を形成している。そして、この切り込み１５’は、直線状部分１５’ａの外側の端点から挿入部１１に向けて斜め方向に折れ曲がった直線状の部分１５’ｄと、直線状部分１５’ｂの外側の端点から挿入部１３に向けて斜め方向に折れ曲がった直線状の部分１５’ｅとを有している。この切り込み１５’が、図１の例における切込み１５と同じ機能を有することは明らかである。
【００３６】
次に、図７は、固定したカードを保護する保護シートを連接したもので、図７（ａ）は、カードの片面に重ねて保護する保護シートを有するカード用台紙を示している。また、図７（ｂ）は、固定したカードの両面を保護する保護シートを有するカード用台紙である。
【符号の説明】
【００３７】
１１：切り込み    １１ａ：直線部分    １１ｂ：直線部分    １１ｃ：曲線状の部分
１２：抑え片
１３：切り込み    １３ａ：直線部分    １３ｂ：直線部分    １３ｃ：曲線状の部分
１４：抑え片
１５：切り込み    １５ａ：直線状の部分    １５ｂ：直線状の部分    １５ｃ：曲線状の部分
１６：嵌合片
１７：貫通孔    １７ａ：直線部分    １７ｂ：直線部分    １７ｃ：曲線状の部分    １７ｄ：曲線状の部分    １７ｅ：屈曲状の部分
Ａ，Ｂ，Ｃ，Ｄ：カードの角部
【図１】
2019107853.tif 000003
【図２】
2019107853.tif 000004
【図３】
2019107853.tif 000005
【図４】
2019107853.tif 000006
【図５】
2019107853.tif 000007
【図６】
2019107853.tif 000008
【図７】
2019107853.tif 000009